(57)【特許請求の範囲】
【請求項１】
票番号が付されており、製品と共に複数の工程を移動した後にそれら工程の先頭である先頭工程に戻されて循環する複数の現品票と、
各前記工程において各前記現品票の前記票番号を読み取る複数の読取装置と、
前記先頭工程において、複数の前記工程を循環する各前記現品票に付された票番号と前記製品の個体識別情報とを関連付けて記憶し、各前記工程において、各前記読取装置が読み取った前記票番号に関連付けられた前記個体識別情報に関連付けて品質データを記憶する記憶装置と、
を備えており、
前記票番号は、前記現品票ごとに異なり、各前記現品票のそれぞれを特定するものである
ことを特徴とする品質データ管理システム。
【請求項２】
前記製品は、焼成工程、バリ取り修正工程、組立工程、糊乾燥工程、塗型工程、塗型乾燥工程、及び検査工程の順に実行して製造され、鋳型に収められて鋳造に利用される中子であり、
前記現品票は前記焼成工程以降の複数の工程を移動して循環することを特徴とする請求項１記載の品質データ管理システム。
【請求項３】
前記個体識別情報は前記製品に一体に付されていることを特徴とする請求項１又は２記載の品質データ管理システム。
【発明の詳細な説明】
【技術分野】
【０００１】
本発明は品質データ管理システムに関するものである。
【背景技術】
【０００２】
特許文献１に従来の品質データ管理システムが開示されている。この品質データ管理システムは、造型工程、中子収め工程、注湯工程、解枠工程、及び出荷工程を有する鋳造設備に利用されている。この品質データ管理システムは、造型工程、中子収め工程、及び注湯工程において、設備の各種運転状態を示すデータを収集する。収集されたデータはデータベースサーバへ蓄積される。
【０００３】
また、この品質データ管理システムは、解枠工程及び出荷工程において、製品番号と、製品が良品であるか不良品であるかについて入力される。この品質データ管理システムは、解枠工程及び出荷工程において不良品であると入力された場合、不良発生部位、形状、発生形態等がさらに入力される。入力されたこれらデータはデータベースサーバへ蓄積される。なお、製品番号は、製品に直接打痕されたか、もしくは製品に付随する現品票等に印字されたものを直接入力する他、画像認識したり、バーコード認識したりすることができる。
【０００４】
この品質データ管理システムは、製品の良否と、設備の各種運転状態を示すデータとの関連を分析し、データベースサーバへ蓄積することができる。このため、この品質データ管理システムは製品の不良原因を容易に推定することができ、また、不良発生を未然に防止すべく対策を実行することができる。
【先行技術文献】
【特許文献】
【０００５】
【特許文献１】特開２００１−１９１１７４号公報
【発明の概要】
【発明が解決しようとする課題】
【０００６】
しかし、特許文献１の品質データ管理システムは、製品の良否と設備の各種運転状態を示すデータとを製品に関連付けるために、製品に直接打痕されたか、製品に付随する現品票等に印字された製品番号を入力したり、認識したりする必要がある。このため、この品質データ管理システムは、製品毎に異なる製品番号を製品に直接打痕したり、現品票等に印字したりする手間やコストを要する。また、この品質データ管理システムは、製品番号を入力したり、認識したりする時間がかかったり、製品番号を誤入力したりするおそれがある。
【０００７】
本発明は、上記従来の実情に鑑みてなされたものであって、製品ごとの品質データ管理を効率的に行うことができる品質データ管理システムを提供することを解決すべき課題としている。
【課題を解決するための手段】
【０００８】
本発明の品質データ管理システムは、複数の現品票、複数の読取装置、及び記憶装置を備えている。各現品票は票番号が付されている。各現品票は製品と共に複数の工程を移動した後に、それら工程の先頭である先頭工程に戻されて循環する。各読取装置は各工程において現品票の票番号を読み取る。記憶装置は、先頭工程において、複数の工程を循環する各現品票に付された票番号と製品の個体識別情報とを関連付けて記憶する。また、記憶装置は、各工程において、読取装置が読み取った票番号に関連付けられた個体識別情報に品質データを関連付けて記憶する。票番号は、現品票ごとに異なり、各現品票のそれぞれを特定するものである。
【０００９】
この品質データ管理システムは、複数の工程を製品と共に移動する現品票の票番号に個体識別情報が関連付けられている。このため、この品質データ管理システムは、各工程において読取装置が票番号を読み取ることによって、記憶装置が個体識別情報に関連付けて品質データを記憶することができる。また、この品質データ管理システムは、複数の現品票を循環させて利用するため、製品ごとに異なる個体識別情報を現品票に印字する手間等をなくすことができ、品質データの管理を比較的に低コストで行うことができる。また、この品質データ管理システムは、票番号を簡潔にすれば、読取装置の読取時間を短くしたり、誤認識を少なくしたりすることができる。
【００１０】
したがって、本発明の品質データ管理システムは製品ごとの品質データ管理を効率的に行うことができる。
【００１１】
また、この品質データ管理システムは、現品票が仮に破損したり、紛失したりした場合でも、記憶装置に個体識別情報に関連付けられた品質データが記憶されているため、同じ内容を印字した現品票を新たに作成して製品に付随させれば、継続してシステムを運用することができる。
【００１２】
また、この品質データ管理システムは、複数の現品票を循環させているため、各工程における現品票の通過履歴を収集して、現品票の回転率や、現品票が複数の工程を移動するリードタイム等を分析することによって、物流改善に活用することができる。
【００１３】
また、この品質データ管理システムは、各工程を移動中の現品票の枚数から在庫状況を分析することができる。このため、この品質データ管理システムは、在庫低減、生産指示の適正化に活用することができる。
【００１４】
本発明の品質データ管理システムにおいて、製品は鋳造に利用される中子であり得る。中子は、焼成工程、バリ取り修正工程、組立工程、糊乾燥工程、塗型工程、塗型乾燥工程、及び検査工程の順に実行して製造され、鋳型に収められる。現品票は焼成工程以降の複数の工程を移動して循環し得る。
【００１５】
中子は、細い円筒形状の砂であり、印字スペースが限られているため、個体識別情報を直接中子に付すためには高い技術が必要であり、コストが高くなるおそれがある。また、塗型工程で塗料が塗布されると直接中子に印字された個体識別情報が認識できなくなるおそれがある。また、中子は、糊乾燥工程、塗型乾燥工程において、高温で乾燥されるため、耐熱性が低いＩＣタグ等は取り付けることができない。このような中子に対して、この品質データ管理システムは、中子に個体識別情報を印字することなく、現品票の票番号を読取装置で読み取ることによって、票番号に関連付けられた個体識別情報に関連付けて品質データを記憶することができる。また、この品質データ管理システムは作業者の負担にならずに各品質データを収集することができる。
【００１６】
本発明の品質データ管理システムにおいて、個体識別情報は製品に一体に付され得る。この場合、現品票が仮に破損したり、紛失したりしても、製品に一体に付された個体識別情報を頼りに新たに作成した同じ記載の現品票を製品に付随させることができる。
【図面の簡単な説明】
【００１７】
【図１】鋳造設備の各製造ラインを示すブロック図である。
【図２】実施形態１の品質管理システムの全体構成を示す概略図である。
【図３】実施形態１の現品票の移動を示す概略図である。
【図４】実施形態１の焼成工程における中子シリアル番号の生成と各データの流れを示す概略図である。
【図５】実施形態１の各工程における中子シリアル番号等の各データの流れを示す概略図である。
【図６】実施形態１の焼成工程現品票を組立工程現品票に差し替える際の各データの流れを示す概略図である。
【図７】中子本体の概略を示す平面図である。
【図８】実施形態２の半製品の中子を合体して中子を形成する際の各データの流れを示す概略図である。
【発明を実施するための形態】
【００１８】
本発明の品質データ管理システムを具体化した実施形態１及び２について、図面を参照しつつ説明する。
【００１９】
＜実施形態１＞
実施形態１の品質データ管理システムは、図１に示すように、中子ライン１、造型ライン、溶解ライン５、仕上げ検査ライン７、及び加工ライン９を有する鋳造設備における中子ライン１に利用される。中子ライン１は、図２及び図３に示すように、焼成工程、バリ取り修正工程、組立工程、糊乾燥工程、塗型工程、塗型乾燥工程、及び検査工程を有している。焼成工程は金型に砂を流し込んで焼成して中子本体を生成する。中子本体は中子を構成する主要部材である。中子本体は１個ずつ耐熱性を有するパレットに載置されて各工程を移動する。バリ取り修正工程は中子本体のバリを除去する。組立工程は中子本体に小部品を糊付けして中子を組み立てる。つまり、中子は中子本体と小部品とから構成されている。糊乾燥工程は、組立後の中子を乾燥炉に入れて、高温で糊を乾燥させる。塗型工程は、槽に張られた溶液に中子を漬けて、表面に焼きつき防止用の塗料を塗布する。塗型乾燥工程は、焼きつき防止用の塗料を塗布した後の中子を乾燥炉に入れて、高温で乾燥させる。検査工程は、中子の最終検査を実施し、合否判定する。この中子ライン１は、各工程での生産能力が異なっているため、各工程でバッチ生産を実施する。
【００２０】
焼成工程は、図２〜図４に示すように、タッチパネル１０Ａを有したコンピュータ１０と読取装置である二次元バーコードリーダ２０とを設置している。焼成工程において、パレットに載置された中子本体が焼成されて生成されるたびに、作業者がタッチパネル１０Ａを操作し、中子本体ごとの個体識別情報である中子シリアル番号（Z-15X301-1-001）をコンピュータ１０が生成する。中子シリアル番号は連続した通し番号（-001、-002、・・・）が含まれている。つまり、中子本体ごとに異なる中子シリアル番号が生成される。中子本体は、中子シリアル番号が付されていなくてもよいが、図７に示すように、中子本体２に設けられ、中子を鋳型の下型及び上型に形成されたキャビティ内に配置した際に中子が支えられる部分である巾木２Ａ等に中子シリアル番号が付されていてもよい。
【００２１】
現品票である焼成工程現品票３０は、所定枚数が用意され、焼成工程に設置された現品票ポスト３１に備えられている。これら焼成工程現品票３０は、図４に示すように、票番号（X00001）、マトリクス型二次元コード３０Ａ、品番（XX151-55X12-XHT）、棚番（Y001）、及び工程（焼成→捕集→部品庫）が印字されている。票番号は、焼成工程現品票３０そのものを特定するものであり、連続した通し番号（00001,00002,・・・）が含まれている。つまり、焼成工程現品票３０ごとに異なる票番号が印字されている。マトリクス型二次元コード３０Ａは焼成工程現品票３０に印字された票番号等の情報をコード化している。品番は焼成工程で生産される中子本体の品番である。棚番は焼成前の中子本体が仮置きされていた棚番号を示す。工程は焼成工程現品票３０が中子本体と共に移動する工程等を示している。つまり、この焼成工程現品票３０は、中子本体が焼成されて生成された後に現品票ポスト３１から取り出されてパレットの上面に載置され、中子本体と共に焼成工程、バリ取り修正工程、及び部品庫を移動する。
【００２２】
焼成工程において、作業者は、タッチパネル１０Ａを操作した後、つまり、中子本体ごとに異なる中子シリアル番号（Z-15X301-1-001）が生成された後、二次元バーコードリーダ２０を利用して、パレット上に載置された焼成工程現品票３０のマトリクス型二次元コード３０Ａを読み取る。すると、コンピュータ１０が焼成工程現品票３０に印字された焼成工程現品票３０の票番号（X00001）と中子シリアル番号（Z-15X301-1-001）とを関連付ける。そして、この票番号と中子シリアル番号とを関連付けた情報が記憶装置であるデータベースサーバ４０に記憶される。
【００２３】
また、焼成工程において、生成された中子本体ごとに、中子の品質に影響する中子本体の品質データ（例えば、金型に流し込む砂の材質、焼成温度等）が中子シリアル番号（Z-15X301-1-001）に関連付けられてデータベースサーバ４０に記憶される。これら品質データは、センサによって自動入力されたり、作業者がタッチパネル１０Ａを操作して入力されたりして、データベースサーバ４０に記憶される。この品質データは不具合追跡や不良解析に利用することができる。
【００２４】
バリ取り修正工程も、図２に示すように、タッチパネル１０Ａを有したコンピュータ１０と二次元バーコードリーダ２０とを設置している。中子本体はパレット上に載置された状態で焼成工程からバリ取り修正工程に送られる。焼成工程現品票３０は、パレットの上面に載置されているため、中子本体と共にバリ取り修正工程に移動する。
【００２５】
バリ取り修正工程において、作業者は二次元バーコードリーダ２０を利用してパレット上に載置された焼成工程現品票３０のマトリクス型二次元コード３０Ａを読み取る。すると、コンピュータ１０は、焼成工程現品票３０の票番号（X00001）を取得し、この票番号に基づいて、パレット上に載置された中子本体の中子シリアル番号（Z-15X301-1-001）をデータベースサーバ４０から取得する。これによって、バリ取り修正工程でバリを除去された中子本体と、その中子シリアル番号を対応させることができる。
【００２６】
そして、バリ取り修正工程において、中子の品質に影響する中子本体の品質データ（例えば、欠けや亀裂の有無等）が中子本体ごとの中子シリアル番号に関連付けられてデータベースサーバ４０に記憶される。これら品質データは、作業者がタッチパネル１０Ａを操作して入力され、データベースサーバ４０に記憶される。この品質データも不具合追跡や不良解析に利用することができる。バリ取り修正工程を終了した中子本体はパレット上に載置された状態で部品庫に一時的に保管される。
【００２７】
部品庫からパレット上に載置された状態の中子本体を組立工程に移動させる際、図２、図３、及び図６に示すように、焼成工程現品票３０を組立工程現品票５０に差し替える。組立工程現品票５０に差し替えられた後の焼成工程現品票３０は、パレットから取り除かれ、焼成工程に設けられた現品票ポスト３１に戻される。焼成工程に設けられた現品票ポスト３１に戻された焼成工程現品票３０は、現品票ポスト３１に戻された順に、上述したように、中子本体が焼成されて生成された後に現品票ポスト３１から取り出され、中子本体が載置されたパレットの上面に載置される。このようにして、焼成工程現品票３０は、焼成工程、バリ取り修正工程、及び部品庫を循環する。ここでは、焼成工程が先頭工程に相当する。
【００２８】
組立工程現品票５０は、図３に示すように、所定枚数が用意され、組立工程に設置された現品票ポスト５１に備えられている。これら組立工程現品票５０は、図６に示すように、票番号（Y00001）、マトリクス型二次元コード５０Ａ、ＡＳＳＹ品番（XX151-55X12-XNK）、本体品番（XX151-55X12-XHT）、棚番Ａ（X001）、部品品番（XX151-41X12-XST）、棚番Ｂ（Y001）、及び工程（組立→糊乾燥→塗型乾燥→検査→完品置場→造型）が印字されている。票番号は、組立工程現品票５０そのものを特定するものであり、連続した通し番号（00001，00002，・・・）が含まれている。つまり、組立工程現品票５０ごとに異なる票番号が印字されている。マトリクス型二次元コード５０Ａは組立工程現品票５０に印字された票番号等の情報をコード化している。ＡＳＳＹ品番は組立工程で中子本体に小部品を糊付けして組み立てられる中子の品番である。本体品番は中子本体の品番である。棚番Ａは中子本体が仮置きされていた棚番号である。部品品番は中子本体に糊付けされる小部品の品番である。棚番Ｂは小部品が仮置きされていた棚番号である。工程は組立工程現品票５０が中子と共に移動する工程などを示している。つまり、この組立工程現品票５０は、図２及び図３に示すように、組立工程で中子本体に小部品を糊付けして組み立てられた中子を載置するパレットの上面に載置され、中子と共に組立工程、糊乾燥工程、塗型工程、塗型乾燥工程、検査工程、完成品置き場、及び造型ラインの中子収め工程を移動する。
【００２９】
焼成工程現品票３０と組立工程現品票５０の差し替えは、図６に示すように、マトリクス型二次元コード３０Ａ，５０Ａを読み取ることができるハンディターミナルコンピュータ６０を利用して次に説明するように行われる。
【００３０】
先ず、作業者がハンディターミナルコンピュータ６０を利用して、中子本体が載置されたパレット上に載置された焼成工程現品票３０のマトリクス型二次元コード３０Ａを読み取る。すると、ハンディターミナルコンピュータ６０は、焼成工程現品票３０の票番号（X00001）を取得し、取得した票番号に基づいて、中子シリアル番号（Z-15X301-1-001）をデータベースサーバ４０から取得する。
【００３１】
次に、作業者がハンディターミナルコンピュータ６０を利用して、組立工程現品票５０のマトリクス型二次元コード５０Ａを読み取る。すると、ハンディターミナルコンピュータ６０は、組立工程現品票５０の票番号（Y00001）を取得し、この票番号と中子シリアル番号（Z-15X301-1-001）とを関連付ける。そして、この票番号と中子シリアル番号とを関連付けた情報がデータベースサーバ４０に記憶される。このようにして、焼成工程現品票３０と組立工程現品票５０とが差し替えられる。差し替えらえた組立工程現品票５０は、それまで焼成工程現品票３０が載置されていたパレット上に載置される。
【００３２】
組立工程、糊乾燥工程、塗型工程、塗型乾燥工程、及び検査工程の各工程は、タッチパネル１０Ａを有したコンピュータ１０と二次元バーコードリーダ２０とを設置している。なお、塗型工程と塗型乾燥工程とは共通のタッチパネル１０Ａを備えており、これらの工程で共用される。
【００３３】
組立工程、糊乾燥工程、塗型工程、塗型乾燥工程、及び検査工程の各工程において、図５に示すように、作業者は二次元バーコードリーダ２０を利用してパレット上に載置された組立工程現品票５０のマトリクス型二次元コード５０Ａを読み取る。すると、コンピュータ１０が組立工程現品票５０の票番号（Y00001）を取得し、この票番号に基づいて、コンピュータ１０はパレット上に載置された中子の中子シリアル番号（Z-15X301-1-001）をデータベースサーバ４０から取得する。これによって、各工程の中子本体と、その中子シリアル番号を対応させることができる。
【００３４】
そして、組立工程、糊乾燥工程、塗型工程、塗型乾燥工程、及び検査工程の各工程において、中子の品質に影響する品質データ（例えば、各工程における欠けや亀裂の有無、糊乾燥工程における乾燥炉の温度、塗型工程における溶液の成分、塗型乾燥工程における乾燥炉の温度等）が中子ごとに中子シリアル番号（Z-15X301-1-001）に関連付けられてデータベースサーバ４０に記憶される。これら品質データは、センサによって自動入力されたり、作業者がタッチパネル１０Ａを操作して入力されたりして、データベースサーバ４０に記憶される。これら品質データも不具合追跡や不良解析に利用することができる。
【００３５】
検査工程を終了した中子はパレット上に載置された状態で完成品置き場に一時的に保管される。その後、中子は、パレット上に載置された状態で造型ラインの中子収め工程に搬送され、鋳型の下型及び上型に形成されたキャビティ内に配置される。この際、作業者は二次元バーコードリーダ２０を利用してパレット上に載置された組立工程現品票５０のマトリクス型二次元コード５０Ａを読み取る。これによって、鋳型に対してどの中子を収めたかの情報を収集し、データベース４０に記憶する。また、パレット上に載置された組立工程現品票５０は、作業者が二次元バーコードリーダ２０を利用してマトリクス型二次元コード５０Ａが読み取られた後、パレットから取り除かれ、組立工程に設けられた現品票ポスト５１に戻される。組立工程に設けられた現品票ポスト５１に戻された組立工程現品票５０は、現品票ポストに戻された順に、上述したように、焼成工程現品票３０の差し替えに用いられ、中子が載置されたパレットの上面に載置される。このように、組立工程現品票５０は、組立工程、糊乾燥工程、塗型工程、塗型乾燥工程、検査工程、完成品置き場、及び造型ラインの中子収め工程を循環する。ここでは、組立工程が先頭工程に相当する。
【００３６】
このように、実施形態１の品質データ管理システムは、複数の焼成工程現品票３０、複数の組立工程現品票５０、各工程に備えられた複数の二次元バーコードリーダ２０、及びデータベースサーバ４０を備えている。各焼成工程現品票３０及び各組立工程現品票５０は票番号が付されている。各焼成工程現品票３０は、中子本体と共に焼成工程、バリ取り修正工程、及び部品庫を移動した後に、焼成工程に設けられた現品票ポスト３１を経由して、焼成工程に戻される。このように、各焼成工程現品票３０は、焼成工程、バリ取り修正工程、及び部品庫を循環する。また、各組立工程現品票５０は、中子と共に組立工程、糊乾燥工程、塗型工程、塗型乾燥工程、検査工程、完成品置き場、及び造型ラインの中子収め工程を移動した後に、組立工程に設けられた現品票ポスト５１を経由して組立工程に戻される。このように、組立工程現品票５０は、組立工程、糊乾燥工程、塗型工程、塗型乾燥工程、検査工程、完成品置き場、及び造型ラインの中子収め工程を循環する。各二次元バーコードリーダ２０は、各工程において、焼成工程現品票３０又は組立工程現品票５０の票番号を読み取る。データベースサーバ４０は先頭工程である焼成工程又は組立工程において関連付けられた票番号と中子本体の中子シリアル番号とを記憶する。また、データベースサーバ４０は各工程において二次元バーコードリーダ２０が読み取った票番号に関連付けられた中子シリアル番号に品質データを関連付けて記憶する。
【００３７】
この品質データ管理システムは、複数の工程を中子本体又は中子と共に移動する焼成工程現品票３０又は組立工程現品票５０の票番号に中子シリアル番号が関連付けられている。このため、この品質データ管理システムは、各工程において二次元バーコードリーダ２０が票番号を読み取ることによって、データベースサーバ４０が中子シリアル番号に関連付けて品質データを記憶することができる。また、この品質データ管理システムは、複数の焼成工程現品票３０又は組立工程現品票５０を循環させて利用するため、中子本体又は中子ごとに異なる中子シリアル番号を焼成工程現品票３０又は組立工程現品票５０に印字する手間等を無くすことができ、品質データの管理を比較的低コストで行うことができる。また、この品質データ管理システムは、票番号を簡潔にすれば、二次元バーコードリーダ２０の読取時間を短くしたり、誤認識を少なくしたりすることができる。
【００３８】
したがって、実施形態１の品質データ管理システムは製品ごとの品質データ管理を効率的に行うことができる。
【００３９】
また、この品質データ管理システムは、焼成工程現品票３０又は組立工程現品票５０が仮に破損したり、紛失したりした場合でも、データベースサーバ４０に中子シリアル番号に関連付けられた品質データが記憶されているため、同じ内容を印字した焼成工程現品票３０又は組立工程現品票５０を新たに作成して中子本体又は中子が載置されたパレット上に載置すれば、継続してシステムを運用することができる。
【００４０】
また、この品質データ管理システムは、複数の焼成工程現品票３０又は複数の組立工程現品票５０を循環させているため、各工程におけるこれら現品票の通過履歴を収集して、現品票の回転率や、現品票が複数の工程を移動するリードタイム等を分析することによって、物流改善に活用することができる。
【００４１】
また、この品質データ管理システムは、各工程を移動中の焼成工程現品票３０又は組立工程現品票５０の舞推移から在庫状況を分析することができる。このため、この品質データ管理システムは、在庫低減、生産指示の適正化に活用することができる。
【００４２】
この品質データ管理システムは鋳造に利用される中子の製造に利用されている。中子は、焼成工程、バリ取り修正工程、組立工程、糊乾燥工程、塗型工程、塗型乾燥工程、及び検査工程の順に実行して製造され、鋳型に収められる。焼成工程現品票３０は、焼成工程、バリ取り修正工程、及び部品庫を循環する。組立工程現品票５０は、組立工程、糊乾燥工程、塗型工程、塗型乾燥工程、検査工程、完成品置き場、及び造型ラインの中子収め工程を循環する。
【００４３】
中子は、細い円筒形状の砂であり、印字スペースが限られているため、中子シリアル番号を直接中子に付すためには高い技術が必要であり、コストが高くなるおそれがある。また、塗型工程で塗料が塗布されると直接中子に印字された中子シリアル番号が認識できなくなるおそれがある。また、中子は、糊乾燥工程、塗型乾燥工程において、高温で乾燥されるため、耐熱性が低いＩＣタグ等は取り付けることができない。このような中子に対して、この品質データ管理システムは、中子に中子シリアル番号を印字することなく、焼成工程現品票３０又は組立工程現品票５０の票番号を読取装置で読み取ることによって、これら票番号に関連付けられた中子シリアル番号に関連付けて品質データを記憶することができる。また、この品質データ管理システムは作業者の負担にならずに各品質データを収集することができる。
【００４４】
また、この品質データ管理システムにおいて、中子本体に中子シリアル番号を一体に付せば、焼成工程現品票３０又は組立工程現品票５０が仮に破損したり、紛失したりしても、中子本体に一体に付された中子シリアル番号を頼りに新たに作成した同じ記載の焼成工程現品票３０又は組立工程現品票５０を中子本体又は中子が載置されたパレットに正しく載置しなおすことができる。
【００４５】
＜実施形態２＞
実施形態２の品質データ管理システムは、複数の半製品の中子（組立工程と、糊乾燥工程とを実行し、中子本体と小部品とが一体になったもの）を合体させて、鋳型の下型及び上型に形成されたキャビティ内に配置する中子を形成する点が、実施形態１と相違する。他の構成は、実施形態１と同様であり、同一の構成は同一の符号を付し、詳細な説明を省略する。
【００４６】
この品質データ管理システムは、２個の半製品の中子を合体させて中子を形成する場合、図８に示すように、組立工程において、合体後の組立工程現品票５７が、次に説明するように作成される。
【００４７】
まず、作業者は、組立工程に備えられた二次元バーコードリーダ２０を利用して、半製品の中子が載置されたパレット上に載置された組立工程現品票５３，５５のマトリクス型二次元コード５３Ａ，５５Ａを夫々読み取る。すると、コンピュータ１０は夫々の票番号（Y00001，Y00002）を取得し、これら票番号に関連付けられた中子シリアル番号（Z-15X301-1-001，Z-15X301-1-002）をデータベースサーバ４０から取得する。半製品の中子の組立工程現品票５３，５５は、上述した組立工程現品票５０と同じ項目が印刷されているが、工程欄には、「組立→糊乾燥→組立」と印字されている。つまり、この組立工程現品票５３，５５は、半製品の中子と共に、組立工程、糊乾燥工程を移動した後、合体するために組立工程に移動することが示されている。
【００４８】
次に、作業者は、二次元バーコードリーダ２０を利用して、合体後の組立工程現品票５７のマトリクス型二次元コード５７Ａを読み取る。すると、コンピュータ１０は、合体後の組立工程現品票５７の票番号（Y00010）を取得すると共に、新たに中子シリアル番号（Z-15X301-1-001-U）を生成する。その後、取得した票番号（Y00010）と新たな中子シリアル番号（Z-15X301-1-001-U）とを関連付けた情報がデータベースサーバ４０に保存される。なお、半製品の各中子の中子シリアル番号（Z-15X301-1-001，Z-15X301-1-002）と、合体後の新たな中子シリアル番号（Z-15X301-1-001-U）とは関連付けられてデータベースサーバ４０に保存される。合体後の中子の組立工程現品票５７は、票番号、マトリクス型二次元コード５７Ａ、ＡＳＳＹ品番、及び工程が印字されている。
【００４９】
合体後の組立工程現品票５７は、所定枚数が用意され、組立工程に設置された現品票ポスト５１に備えられている。この組立工程現品票５７は、上述した通り、合体された中子を載置するパレットの上面に載置され、中子と共に組立工程、糊乾燥工程、塗型工程、塗型乾燥工程、検査工程、完成品置き場、及び造型ラインの中子収め工程を移動する。そして、この組立工程現品票５７は、合体後の中子が鋳型の下型及び上型に形成されたキャビティ内に配置される際、パレットから取り除かれ、組立工程に設けられた現品票ポスト５１に戻される。組立工程に設けられた現品票ポスト５１に戻されたこの組立工程現品票５７は、現品票ポスト５１に戻された順に、上述したように、半製品の中子を合体させて中子を形成する際に用いられる。このように、この組立工程現品票５７も、組立工程、糊乾燥工程、塗型工程、塗型乾燥工程、検査工程、完成品置き場、及び造型ラインの中子収め工程を循環する。ここでは、組立工程が先頭工程に相当する。
【００５０】
このように、実施形態２の品質データ管理システムも、複数の工程を合体後の中子と共に移動する組立工程現品票５７の票番号に新たな中子シリアル番号が関連付けられている。このため、この品質データ管理システムは、各工程において二次元バーコードリーダ２０が票番号を読み取ることによって、データベースサーバ４０が中子シリアル番号に関連付けて品質データを記憶することができる。また、この品質データ管理システムは、複数の合体後の組立工程現品票５７を循環させて利用するため、合体後の中子ごとに異なる中子シリアル番号を組立工程現品票５７に印字する手間等を無くすことができ、品質データの管理を比較的低コストで行うことができる。また、この品質データ管理システムは、票番号を簡潔にすれば、二次元バーコードリーダ２０の読取時間を短くしたり、誤認識を少なくしたりすることができる。
【００５１】
したがって、実施形態２の品質データ管理システムは製品ごとの品質データ管理を効率的に行うことができる。
【００５２】
本発明は上記記述及び図面によって説明した実施形態１及び２に限定されるものではなく、例えば次のような実施形態も本発明の技術的範囲に含まれる。
（１）実施形態１では、焼成工程現品票と組立工程現品票を備え、中子本体を部品庫から組立工程に移動させる際に焼成工程現品票を組立工程現品票に差し替えたが、一種類の現品票が全工程を移動して、循環させるようにしてもよい。
（２）実施形態１及び２で示した各票番号、各品番、各棚番の記載は一例であり、他の形式であってもよい。
（３）実施形態１及び２では、品質管理システムを鋳造設備の中子ラインに利用したが、他の製造ラインに利用してもよい。
（４）実施形態１及び２では、品質管理システムを中子の品質管理に利用したが、鋳造品に限らず、他の製品に対する品質管理に利用してもよい。
【符号の説明】
【００５３】
２０…二次元バーコードリーダ（読取装置）、３０，５０，５３，５５，５７…現品票（３０…焼成工程現品票、５０，５３，５５，５７…組立工程現品票）、４０…データベースサーバ（記憶装置）
【図１】
0006649051.tif 000002
【図２】
0006649051.tif 000003
【図３】
0006649051.tif 000004
【図４】
0006649051.tif 000005
【図５】
0006649051.tif 000006
【図６】
0006649051.tif 000007
【図７】
0006649051.tif 000008
【図８】
0006649051.tif 000009